(57)【要約】【課題】最小限の釦数で各運転モードの切替を行うことを可能とするホームエレベータを提供することである。【解決手段】乗りかご２を通常通り昇降動作させるための通常運転モードと、乗りかご２内で物を乾燥させるための乾燥運転モードと、を有するホームエレベータ１であって、乗りかご２内に設けられ、乗りかご扉１２の開閉釦１１１と乗りかご２の行先階を設定する行先階釦１１２とを有する、かご操作装置１１を備え、開閉釦１１１と行先階釦１１２を用いて各運転モードの切替又は設定を行うことを特徴とする。【選択図】図３
2013166598.tif 000002
【特許請求の範囲】
【請求項１】
乗りかごを通常通り昇降動作させるための通常運転モードと、前記乗りかご内で物を乾燥させるための乾燥運転モードと、を有するホームエレベータであって、
前記乗りかご内に設けられ、乗りかご扉の開閉釦と前記乗りかごの行先階を設定する行先階釦とを有する、かご操作装置を備え、
前記開閉釦と前記行先階釦を用いて前記各運転モードの切替又は設定を行うことを特徴とするホームエレベータ。
【請求項２】
請求項１に記載のホームエレベータにおいて、
前記乾燥運転モード中において、所定の時間間隔で前記乗りかご扉が開閉されることを特徴とするホームエレベータ。
【請求項３】
請求項１または請求項２に記載のホームエレベータにおいて、
前記乾燥運転モード中において、所定の時間間隔で前記乗りかごが昇降されることを特徴とするホームエレベータ。
【請求項４】
請求項１から請求項３のいずれか１項に記載のホームエレベータにおいて、
前記乗りかごが昇降移動するための昇降路には、前記昇降路内の空気の入れ替えを行うための換気扇が設けられていることを特徴とするホームエレベータ。
【請求項５】
請求項１から請求項４のいずれか１項に記載のホームエレベータにおいて、
前記乗りかご扉は、両開き扉であり、
前記乾燥運転モードの際に前記物を干すための少なくとも２つの物干し竿をさらに備え、
前記２つの物干し竿は、前記乗りかご扉の開閉に応じて、互いの距離が変化することを特徴とするホームエレベータ。
【請求項６】
請求項１から請求項５のいずれか１項に記載のホームエレベータにおいて、
前記乗りかごは、抗菌防カビ処理が施されていることを特徴とするホームエレベータ。
【発明の詳細な説明】
【技術分野】
【０００１】
本発明は、ホームエレベータに関する。
【背景技術】
【０００２】
近年、一般家庭において、ホームエレベータを設置することが多くなっている。ホームエレベータは、限られた敷地面積の中で、ある程度の面積を専有している。また、ホームエレベータは、商業施設等に比べると使用頻度が低いため、乗りかご内のスペースを有効に活用することが望まれる。
【０００３】
本発明に関連する技術として、例えば、特許文献１には、昇降路と、昇降路内に昇降可能に設けられたかごと、かごと分離して配置された乾燥流体供給回収装置と、かご及び乾燥流体供給回収装置を連通し乾燥流体を該かご及び該乾燥流体供給回収装置の間で供給回収させる導入ダクト及び排出ダクトとを備えた乾燥機能付きエレベータ装置が開示されている。
【先行技術文献】
【特許文献】
【０００４】
【特許文献１】特開２０１１−１６８３９３号公報
【発明の概要】
【発明が解決しようとする課題】
【０００５】
ところで、ホームエレベータには、乗りかご扉の開閉釦と乗りかごの行先階を設定する行先階釦が設けられている。そして、ホームエレベータにおいて、通常運転モードに加えて乾燥運転モードを設けると、これらの切替や設定を行う必要があるが、切替や設定のために設定釦を特別に設けると、釦の数が増えすぎて美感上好ましいものとは言えない。
【０００６】
本発明の目的は、必要最小限の釦数で各運転モードの切替又は設定を行うことを可能とするホームエレベータを提供することである。
【課題を解決するための手段】
【０００７】
本発明に係るホームエレベータは、乗りかごを通常通り昇降動作させるための通常運転モードと、前記乗りかご内で物を乾燥させるための乾燥運転モードと、を有するホームエレベータであって、前記乗りかご内に設けられ、乗りかご扉の開閉釦と前記乗りかごの行先階を設定する行先階釦とを有する、かご操作装置を備え、前記開閉釦と前記行先階釦を用いて前記各運転モードの切替又は設定を行うことを特徴とする。
【０００８】
また、本発明に係るホームエレベータにおいて、前記乾燥運転モード中において、所定の時間間隔で前記乗りかご扉が開閉されることが好ましい。
【０００９】
また、本発明に係るホームエレベータにおいて、前記乾燥運転モード中において、所定の時間間隔で前記乗りかごが昇降されることが好ましい。
【００１０】
また、本発明に係るホームエレベータにおいて、前記乗りかごが昇降移動するための昇降路には、前記昇降路内の空気の入れ替えを行うための換気扇が設けられていることが好ましい。
【００１１】
また、本発明に係るホームエレベータにおいて、前記乗りかご扉は、両開き扉であり、前記乾燥運転モードの際に前記物を干すための少なくとも２つの物干し竿をさらに備え、前記２つの物干し竿は、前記乗りかご扉の開閉に応じて、互いの距離が変化することが好ましい。
【００１２】
また、本発明に係るホームエレベータにおいて、前記乗りかごは、抗菌防カビ処理が施されていることが好ましい。
【発明の効果】
【００１３】
本発明によれば、必要最小限の釦数で各運転モードの切替又は設定を行うことができる。
【図面の簡単な説明】
【００１４】
【図１】本発明に係る実施の形態において、ホームエレベータを示す図である。
【図２】本発明に係る実施の形態において、乗りかご内の様子を示す図である。
【図３】本発明に係る実施の形態において、かご操作装置の拡大図である。
【図４】本発明に係る実施の形態において、開閉釦によって運転モードを切り替える様子を示す図である。
【図５】本発明に係る実施の形態において、開閉釦及び行先階釦によって乾燥運転モードの詳細な設定をする様子を示す図である。
【図６】本発明に係る実施の形態において、ホームエレベータが乾燥運転モードの際に２本の物干し竿が取り付けられ、衣服等の洗濯物が干されている様子を示す図である。
【図７】本発明に係る実施の形態において、乾燥運転モードにおいて、２つの物干し竿が取り付けられている状態を示す図である。
【図８】本発明に係る実施の形態において、ホームエレベータの変形例を示す図であり、図７に対応する図である。
【発明を実施するための形態】
【００１５】
以下に図面を用いて、本発明に係る実施の形態を詳細に説明する。また、以下では、全ての図面において、同様の要素には同一の符号を付し、重複する説明を省略する。また、本文中の説明においては、必要に応じそれ以前に述べた符号を用いるものとする。
【００１６】
図１は、ホームエレベータ１を示す図である。図２は、乗りかご２内の様子を示す図である。ホームエレベータ１は、乗りかご２と、乗場３と、乗場扉４と、主ロープ５と、巻上機６と、制御部７と、昇降路８と、滑車９と、昇降路８に設けられる換気扇１０と、を備える。また、ホームエレベータ１は、乗りかご２について、各階の乗場３の間を昇降させることで住人等を移動させる。
【００１７】
主ロープ５は、乗りかご２を吊るすためのロープであり、滑車９を介して巻上機６に巻きつけられている。そして、主ロープ５の端部は乗りかご２に接続されている。
【００１８】
巻上機６は、制御部７によって制御され、巻きつけられた主ロープ５を駆動させることで乗りかご２を昇降させるための装置である。また、巻上機６は、昇降路８の下部であるピット８ａに配置されている。
【００１９】
乗場扉４は、各乗場３に設けられる扉であり、乗りかご２が着床した際に、乗りかご扉１２とともに開く。これにより、住人等が乗りかご２に対して乗り降りすることができる。乗場扉４は、両開き扉であり、制御部７によって開閉制御がなされる。
【００２０】
滑車９は、昇降路８の天井部に固定された滑車であり、主ロープ５が巻きかけられている。これにより、巻上機６によって、乗りかご２を引っ張る力を低減させている。
【００２１】
換気扇１０は、昇降路８の天井部付近に設置され、昇降路８の内部の空気と外気との入れ替えを行うことができる。換気扇１０の作動は、制御部７によって制御される。
【００２２】
乗りかご２は、巻上機６が作動することで昇降路８内を昇降し、住人等を乗せるための構造物である。乗りかご２の内部空間は、所定の人数が乗車できる程度の広さを有する空間である。乗りかご２は、かご操作装置１１と、乗りかご扉１２、乾燥機１３とを含む。乗りかご２の大きさの一例を述べると床面２ｂは１ｍ×１ｍであり、床面２ｂから天井部２ａまでの高さは、２ｍである。また、乗りかご２の天井部２ａ、底面２ｂ及び側面２ｃ〜２ｆは、例えば、プラスチック材料で構成されており、その表面は、抗菌防カビ剤が配合されたフッ素コーティング処理がなされている。
【００２３】
図３は、かご操作装置１１の拡大図である。かご操作装置１１は、乗りかご扉１２を開閉するための開閉釦１１１と、乗りかご２内に乗り込んだ住人等が行先階を選択するための行先階釦１１２と、を備える操作盤である。かご操作装置１１は、乗りかご２の側面２ｃの中央部付近に取り付けられる。
【００２４】
開閉釦１１１は、戸開釦１１ａと戸閉釦１１ｂとを備える。戸開釦１１ａは、乗りかご２が着床している際に、乗りかご扉１２を強制的に戸開させるための釦である。戸閉釦１１ｂは、乗りかご扉１２を強制的に戸閉させるための釦である。行先階釦１１２は、行先階を１階に設定する１階釦１１ｃと、行先階を２階に設定する２階釦１１ｄと、行先階を３階に設定する３階釦１１ｅとを備える。
【００２５】
再び図１及び図２に戻って、乗りかご扉１２は、乗りかご２に設けられる扉であり、乗りかご２が行先階の乗場３に着床した際に、当該乗場３の乗場扉４とともに開く。これにより、住人等が乗りかご２に対して乗り降りすることができる。乗りかご扉１２は、両開き扉であり、１枚当たりの幅は、一例を挙げると２５ｃｍである。なお、乗りかご扉１２の開閉制御は、制御部７によってなされる。
【００２６】
乾燥機１３は、乗りかご２の天井部２ａに設けられ、後述する乾燥運転モードの際に、乗りかご２内において衣服等の洗濯物を乾燥させるための温風を乗りかご２内部に送り込む。乾燥機１３の作動の制御は、制御部７によってなされる。
【００２７】
奥側案内溝１４は、乗りかご２の側面のうち、乗りかご扉１２に対向する側面に設けられる。すなわち、奥側案内溝１４は、乗りかご２の奥側の側面２ｆに設けられる。奥側案内溝１４は、側面２ｆの中央部において、その長手方向が乗りかご扉１２の開閉方向に沿うように配置されている。奥側案内溝１４が設けられる高さ（床面２ｂからの高さ）は、例えば、１ｍであることが好適である。また、奥側案内溝１４の溝幅は、後述する物干し竿１６の直径よりも少し大きい幅が好適である。これにより、物干し竿１６が乗りかご扉１２の開閉によって移動する際に、スムーズに案内される。また、奥側案内溝１４の長さは、例えば、８０ｃｍであることが好適であり、奥側案内溝１４の奥行きは、例えば、１５ｃｍであることが好適である。
【００２８】
手前側案内溝１５は、乗りかご扉１２の隣の側面２ｄ（袖壁２ｄ）に設けられる。手前側案内溝１５は、物干し竿１６が取り付けられた状態で乗りかご扉１２が開いて袖壁２ｄに収納された際に、物干し竿１６が袖壁２ｄにぶつからないように設けられた溝である。したがって、手前側案内溝１５は、奥側案内溝１４に対応する位置に設けられる。このため、手前側案内溝１５が設けられる高さ（床面２ｂからの高さ）は、例えば、１ｍであることが好適である。また、手前側案内溝１５の溝幅は、物干し竿１６の直径よりも少し大きい幅が好適である。そして、両側の分かれた手前側案内溝１５の長さは、それぞれ、例えば、１５ｃｍであることが好適である。なお、手前側案内溝１５の奥行きは、袖壁２ｄの厚みと同じである。
【００２９】
制御部７は、ホームエレベータ１の全体を制御する。ホームエレベータ１の動作モードは、通常運転モードと乾燥運転モードである。通常運転モードは、住人等の要求に応じて、乗りかご２が昇降路８を通常通り昇降動作するモードである。乾燥運転モードは、住人等の要求に応じて、乾燥機１３を作動させて、乗りかご２内で衣服等の洗濯物を乾燥させるためのモードである。制御部７は、乗りかご２のかご操作装置１１の操作によって各運転モードを切り替える機能を有する。具体的には、住人等は、かご操作装置１１の戸開釦１１ａと戸閉釦１１ｂとを同時に約５秒間長押しすることにより、図４に示されるように、通常運転モードから乾燥運転モード、あるいは、乾燥運転モードから通常運転モードに切り替えることができる。すなわち、戸開釦１１ａと戸閉釦１１ｂを同時に長押することで異なる運転モードに切り替わる。このとき、乗りかご２内の図示しない音声出力装置によって「通常運転モードに切り替わりました」「乾燥運転モードに切り替わりました」といったアナウンスが流れると運転モードの状態を容易に把握することができる。また、乾燥運転モードに切り替わると、制御部７は、昇降路８の換気扇１０を作動させる。なお、乾燥運転モードの後に再び通常運転モードに切り替わると換気扇１０は停止される。
【００３０】
そして、乾燥運転モードに切り替わった後に、制御部７は、乾燥機１３を作動させる。ここで、乾燥機１３が作動した状態が長い間続くと乗りかご２内の温度が上昇するため、適度に換気することが望まれる。ここで、制御部７は、図５に示される組み合わせのように開閉釦１１１と行先階釦１１２とが押されると、乾燥運転モードのさらに詳細な設定を行う。住人等は、戸開釦１１ａと１階釦１１ｃとを押すことにより、３０分間隔で複数回（例えば、５回）乗りかご扉１２を開閉する。次に、戸開釦１１ａと２階釦１１ｄとを押すことにより、６０分間隔で複数回（例えば、５回）乗りかご扉１２を開閉する。また、戸開釦１１ａと３階釦１１ｅとを押すことにより、３０分間隔で乗りかご２が昇降路８を所定の時間（例えば、３分間）昇降するように巻上機６を制御する。そして、戸閉釦１１ｂと１階釦１１ｃを押すことにより、６０分間隔で乗りかご２が昇降路８を所定の時間（例えば、３分間）昇降するように巻上機６を制御する。次いで、戸閉釦１１ｂと２階釦１１ｄを押すことにより、３０分間隔で複数回（例えば、５回）乗りかご扉１２を開閉するとともに乗りかご２が昇降路８を所定の時間（例えば、３分間）昇降するように巻上機６を制御する。また、戸閉釦１１ｂと３階釦１１ｅを押すことにより、６０分間隔で複数回（例えば、５回）乗りかご扉１２を開閉するとともに乗りかご２が昇降路８を所定の時間（例えば、３分間）昇降するように巻上機６を制御する。なお、乾燥運転モードの後に再び通常運転モードに切り替わると乾燥機１３は停止される。
【００３１】
図６は、ホームエレベータ１が乾燥運転モードの際に２本の物干し竿１６が取り付けられ、衣服等の洗濯物が干されている様子を示す図である。２本の物干し竿１６は、衣服を干すための物干しである。２つの物干し竿１６の長さは、それぞれ、例えば、１１０ｃｍであることが好適である。一方の物干し竿１６は、一方端が一方の乗りかご扉１２の図示しないＵ字引っ掛け部に引っ掛けられ、他方端が奥側案内溝１４に挿入される。他方の物干し竿１６は、一方端が他方の乗りかご扉１２の図示しないＵ字引っ掛け部に引っ掛けられ、他方端が奥側案内溝１４に挿入される。なお、物干し竿１６は、もちろん、２本以上であってもよい。
【００３２】
続いて、ホームエレベータ１の作用について説明する。ホームエレベータ１では、雨の日等の悪天候の日は、２つの物干し竿１６を取り付けて洗濯物を干し、戸開釦１１ａと戸閉釦１１ｂを同時に長押することで乾燥運転モードに切り替えて、洗濯物を乾かすことができる。これにより、使用頻度が少ないホームエレベータ１の乗りかご２の空間を有効に利用することができる。
【００３３】
また、ホームエレベータ１では、開閉釦１１１と行先階釦１１２とを押すことで、乾燥運転モードの詳細な設定を行い、乗りかご２内の温度上昇の抑制させるための制御がなされる。これにより、乗りかご２内が不快な温度になることを抑制することができる。また、乗りかご２内から暖かい空気が昇降路８に排出された場合であっても換気扇１０によって換気がなされる。また、洗濯物の湿気が仮に乗りかご２内に充満し、上記乗りかご２内の温度上昇の抑制等により、当該湿気を取り除くことができない場合であっても、乗りかご２の天井部２ａ、底面２ｂ及び側面２ｃ〜２ｆは抗菌防カビ処理が施されているため、カビ等の発生を抑制することができる。
【００３４】
ホームエレベータ１では、開閉釦１１１と行先階釦１１２の操作により、通常運転モードと乾燥運転モードの切り替え、及び、乾燥運転モードの詳細な設定を行っているため、特別な釦の追加が必要ない。したがって、必要最小限の釦数で各運転モードの切り替え及び乾燥運転モードの詳細な設定を行うことができる。
【００３５】
図７は、乾燥運転モードにおいて、２つの物干し竿１６が取り付けられている状態を示す図である。図７の上図は、乗りかご扉１２が閉じられている様子を示している。図７の下図は、乗りかご扉１２が開いている様子を示している。ここで、図７に示されるように、２つの物干し竿１６の一方端はそれぞれ乗りかご扉１２の開閉動作に従って移動し、他方端もそれに従って奥側案内溝１４に案内されて移動する。すなわち、２つの物干し竿１６の互いの距離が変化する。そして、住人等が洗濯物の乾燥状況の確認や洗濯物の取り込みのために乗りかご２内に乗り込む際に、乗りかご扉１２が開いたときに、図７の下図に示されるように、物干し竿１６が端に移動して真ん中が空く。これにより、住人等は２つ物干し竿１６の間に入って、それぞれに干された洗濯物の取り込み等を容易に行うことができる。
【００３６】
図８は、ホームエレベータ１の変形例を示す図であり、上記図７に対応する図である。ホームエレベータ１の変形例は、ホームエレベータ１とは異なり奥側案内溝１４が設けられていない代わりに、２つの物干し竿１６の他方端が、それぞれの物干し竿１６が回動可能なように固定されている点である。また、物干し竿１６は、乗りかご扉１２が開いてそれぞれの物干し竿１６が回動した際に長手方向の長さが伸びるように入れ子構造を有している。すなわち、図８に示されるように、２つの物干し竿１６の一方端はそれぞれ乗りかご扉１２の開閉動作に従って移動するため、２つの物干し竿１６は、それぞれ他方端側の固定部分を軸として回動する。これにより、２つの物干し竿１６の互いの距離が変化する。そして、住人等が洗濯物の乾燥状況の確認や洗濯物の取り込みのために乗りかご２内に乗り込む際に、乗りかご扉１２が開いたときに、図８の下図に示されるように、物干し竿１６が端に移動して真ん中が空く。これにより、住人等は２つ物干し竿１６の間に入って、それぞれに干された洗濯物の取り込み等を容易に行うことができる。
【符号の説明】
【００３７】
１  ホームエレベータ、２  乗りかご、３  乗場、４  乗場扉、５  主ロープ、６  巻上機、７  制御部、８  昇降路、８ａ  ピット、９  滑車、１０  換気扇、１１  かご操作装置、１１ａ  戸開釦、１１ｂ  戸閉釦、１１ｃ  １階釦、１１ｄ  ２階釦、１１ｅ  ３階釦、１２  乗りかご扉、１３  乾燥機、１４  奥側案内溝、１５  手前側案内溝、１６  物干し竿、１１１  開閉釦、１１２  行先階釦。
【図１】
2013166598.tif 000003
【図２】
2013166598.tif 000004
【図３】
2013166598.tif 000005
【図４】
2013166598.tif 000006
【図５】
2013166598.tif 000007
【図６】
2013166598.tif 000008
【図７】
2013166598.tif 000009
【図８】
2013166598.tif 000010